(57)【要約】【課題】  角部から落下した場合でも衝撃を緩和して内部に収納されているテープカセットを保護することができるテープカセット収納ケースを提供する。【解決手段】  矩形状の底板の外周に沿って立設され内側にテープカセットが収納される側壁２３の形成されたケース本体２０と、このケース本体２０の一辺にヒンジ接続される接合部６３を有してケース本体２０の側壁２３の開口する側を覆う蓋部４０とを備え、ケース本体２０及び蓋部４０の接合部６３とは反対側の一辺を含む外周に、蓋部４０の閉蓋時にて側壁２３，４３からケース本体２０外側へ延出するバンパー部がそれぞれ形成されたテープカセット収納ケースであって、バンパー部の外周の角部に、他の外周の厚みより大きい肉厚にされた厚肉部３９，５１を設けた。【選択図】  図１
2005255199.tif 000002
【特許請求の範囲】
【請求項１】
矩形状の底板の外周に沿って立設され内側にテープカセットが収納される側壁の形成されたケース本体と、このケース本体の一辺にヒンジ接続される接合部を有して前記ケース本体の前記側壁の開口する側を覆う蓋部とを備え、前記ケース本体及び前記蓋部の前記接合部とは反対側の一辺を含む外周に、前記蓋部の閉蓋時にて前記側壁からケース本体外側へ延出するバンパー部がそれぞれ形成されたテープカセット収納ケースであって、
前記バンパー部の前記外周の角部に、他の外周の厚みより大きい肉厚にされた厚肉部を設けたことを特徴とするテープカセット収納ケース。
【発明の詳細な説明】
【技術分野】
【０００１】
本発明はテープカセット収納ケースに関し、特に、内部に収納したテープカセットを落下等の衝撃から確実に保護する技術に関する。
【背景技術】
【０００２】
テープカセットの保管時に用いられるハードケースには、使用者が誤ってケースを落下させても、内部に収納されているテープカセットを保護する耐衝撃性が要求される。耐衝撃性の向上には、衝撃エネルギーの吸収もしくは衝撃エネルギーに耐えられるテープカセット及びケースを用いることが必要である。しかし、テープカセット構造の強度向上には設計上の制約があるため、テープカセットの構造を変えることなく、ケース自体が衝撃エネルギーを吸収してカセットを保護するのが望ましい。
【０００３】
このように、内部に収納したテープカセットを落下等の衝撃から保護するために、バンパー部が外周部に設けられているテープカセット収納ケースが知られている（例えば特許文献１参照）。
図８に示すように、このテープカセット収納ケース１は、テープカセットを収納する函体２と、この函体２の上方の開口を覆う蓋体３を有している。函体２は、底面板２ａを有しており、底面板２ａの外周に沿って側壁２ｂが立設されている。一方、蓋体３は、天面板３ａを有しており、この天面板３ａの一辺においてヒンジ４ａ、連結板５、ヒンジ４ｂを介して函体２の底面板２ａに連結されて、開閉自在に設けられており、他の３辺に沿って側壁３ｂが設けられている。
【０００４】
函体２の底面板２ａ上における凸面部６には、テープカセットのリールハブ穴に挿入してテープカセットを支持する突起部７が立設されている。また、蓋体３の天面板３ａの内面四隅部には、ボス８が設けられ、テープカセットを挟持するようになっている。また、函体２の底面板２ａ及び天面板３ａの側壁２ｂ，３ｂより外側には、バンパーとして機能する薄肉部１０を突出して形成してある。
【０００５】
このようなテープカセット収納ケース１では、使用者が誤ってテープカセット収納ケース１を落下させ、底面板２ａ、天面板３ａの面に対して、面に垂直な方向の衝撃力が加わった場合に、底面板２ａや天面板３ａに設けられた凸面部６がケース厚み方向に弾性変形してテープカセットが受ける衝撃を緩和する。これにより、リール及びテープカセットが破損することを防止している。
また、ケースの角部や側面を下にしてテープカセット収納ケース１を落下させた場合には、薄肉部１０がバンパーとして機能して変形する。これにより、収納されているテープカセットが受ける衝撃が緩和される。
【特許文献１】特開２００２−１７９１７６号公報（図１）
【発明の開示】
【発明が解決しようとする課題】
【０００６】
しかしながら、特に、テープカセット収納ケース１が角部から落下する角落下の場合には、衝撃エネルギーが角部に集中するため、薄肉部１０を厚肉化させる必要がある。薄肉部１０の肉厚を薄くし過ぎると、薄肉部１０そのものが破損したり塑性変形したりするためである。ところが、薄肉部１０の肉厚を逆に厚くし過ぎると、ケースの剛性が高くなり、衝撃エネルギーが吸収されにくくなってバンパー機能が低下する。その結果、衝撃エネルギーが吸収できず、収納されているテープカセットを十分に保護できなくなる。最適な薄肉部１０の厚さは落下する方向によって異なるが、特に、テープカセット収納ケース１が角部から落下する角落下の場合には、衝撃エネルギーが角部に集中するため、側壁２ｂ、３ｂから落下する面落下の場合と比べて角部における薄肉部１０の変形量が大きく、双方が共に良好なバンパー性能となる薄肉部１０の一律な厚みは存在し得なかった。
【０００７】
本発明は、前述した問題点に鑑みてなされたものであり、その目的は、角部から落下した場合と面落下した場合とのいずれの場合でも、衝撃を緩和して内部に収納されているテープカセットを確実に保護することができるテープカセット収納ケースを提供することにある。
【課題を解決するための手段】
【０００８】
上記目的を達成するために、本発明に係るテープカセット収納ケースは、矩形状の底板の外周に沿って立設され内側にテープカセットが収納される側壁の形成されたケース本体と、このケース本体の一辺にヒンジ接続される接合部を有して前記ケース本体の前記側壁の開口する側を覆う蓋部とを備え、前記ケース本体及び前記蓋部の前記接合部とは反対側の一辺を含む外周に、前記蓋部の閉蓋時にて前記側壁からケース本体外側へ延出するバンパー部がそれぞれ形成されたテープカセット収納ケースであって、前記バンパー部の前記外周の角部に、他の外周の厚みより大きい肉厚にされた厚肉部を設けたことを特徴とする。
【０００９】
このように構成されたテープカセット収納ケースにおいては、側壁２ｂ，３ｂの外周から外側へ突出して延設されているバンパー部が衝撃エネルギーを吸収して、ケースに収納されているテープカセットを保護する。一方、テープカセット収納ケースが角部から落下する場合には衝撃エネルギーが大きくなるが、バンパー部の角部に設けられ他のバンパー部の厚みより大きい肉厚にされた厚肉部が衝撃を受けるので、バンパー部の破損や大きな押し潰れ等を防止しつつ衝撃を吸収して、収納されているテープカセットを確実に保護することができる。
【発明の効果】
【００１０】
本発明のテープカセット収納ケースによれば、角部から落下する場合や面落下する場合等の全ての落下方向に対して、衝撃加速度を緩和して、内部に収納されているテープカセットを確実に保護することができる。
【発明を実施するための最良の形態】
【００１１】
以下、本発明に係るテープカセット収納ケースの実施の形態について、図面を参照して詳細に説明する。
図１は本発明に係るテープカセット収納ケースの一実施形態を示す開蓋時における外観斜視図である。また、図２は図１中のケース本体におけるＡ方向矢視図（ａ）と、Ｃ−Ｃ断面図（ｂ）で、図３は図１中のケース本体におけるＢ方向矢視図（ａ）と、Ｄ−Ｄ断面図（ｂ）である。
【００１２】
図１に示すように、本発明に係るテープカセット収納ケース１００は、矩形状の底板２１の外周に沿って立設され内側にテープカセット（図示省略）が収納される側壁２３の形成されたケース本体２０と、このケース本体２０の一辺に、ヒンジ６１ａ、接合部としての連結板６３、ヒンジ６１ｂを介して開閉自在に接続されケース本体２０の側壁２３の開口する側を覆う蓋部４０とを有している。
【００１３】
ケース本体２０の底板２１から立設されている側壁２３は、底板２１の角部２１ａ，２１ａ間に延びる正面側の側壁２３ａ、及び両脇側の側壁２３ｂの各中央部が、その高さを低くされ、収容したテープカセットの取り出しを容易にしている。ケース本体２０の底板２１には一対の突起部３７，３７が立設されており、この突起部３７，３７をテープカセットのリールハブ穴に挿入して、テープカセットをケース本体２０に収納するようになっている。なお、正面側の側壁２３ａの両端付近における外側面には、係止部２４が突出して設けられており、蓋部４０を閉じた際に蓋部４０の正面側の側壁４３ａの内側面に突出して設けられた係止部４４と係合するようになっている。これにより、閉蓋時にケース本体２０が蓋部４０に仮ロックされる。
【００１４】
ケース本体２０におけるヒンジ６１側を除く３辺の側壁２３の外側には、外周縁部２５が延設されている。この外周縁部２５の正面側中央部には、蓋部４０を閉じた際に蓋部４０の正面側の側壁４３ａを係止して蓋部４０をロックするためのサイドロック部２９が、ヒンジ３０を中心として回動自在に設けられている。また、サイドロック部２９の内側面には、例えば蓋部４０の正面側の側壁４３ａと係合する係止部３２が設けられている。なお、係止部３２の代わりに、ボタンや面ファスナー（マジックテープ）等の適宜な係止手段であってもよい。
【００１５】
図２(ａ)に示すように、ケース本体２０の外周縁部２５では、側壁２３に沿って蓋部４０の側壁４３の厚さに相当する空間３１を空けて、凸条３３が側壁２３と平行に設けられている。蓋部４０が閉じられた際には、後述するように、蓋部４０の側壁４３の先端が空間３１に嵌挿されて蓋部４０と外周縁部２５が密着して接合されるようになっている。  また、図２(ｂ)に示すように、凸条３３の外側に延出して、底板２１の肉厚よりも薄い薄肉部３５が所定幅で設けられており、薄肉部３５の先端部は閉蓋時に対向する蓋部４０の外周縁部４５側(図２（ｂ）では上側)に屈曲されている。このように、ケース本体２０におけるヒンジ６１ａ側を除く３辺の側壁２３の外側には、バンパー部としての外周縁部２５が形成されている。
【００１６】
一方、蓋部４０では、図１に示すように、ヒンジ６１ｂ側を除く３辺に沿って側壁４３が設けられており、図３（ａ）に示すように、各側壁４３の外側には外周縁部４５が設けられている。この側壁４３は、蓋部４０が閉じられた際に、図３（ｂ）に示すように、ケース本体２０の側壁２３の外側を覆い、先端がケース本体２０の外周縁部２５に設けられている凸条３３と側壁２３との間の空間３１に収まるようになっている。これにより、テープカセット収納ケース１００内部への異物や塵埃等の侵入を防止している。なお、蓋部４０の正面側の側壁４３ａには、その中央部外側面に、ケース本体２０に設けられているサイドロック部２９の係止部３２によって係止されて蓋部４０をロックする被係止手段(図示省略)が設けられている。
【００１７】
図３(ａ)及び(ｂ)に示すように、蓋部４０の外周縁部４５では、側壁４３の外側に延出して、天板４１の肉厚よりも薄い薄肉部４７が所定幅で設けられており、薄肉部４７の先端部は、閉蓋時に対向するケース本体２０の外周縁部２５側(図３（ｂ）では上側)に屈曲されている。このように、蓋部４０におけるヒンジ６１ｂ側を除く３辺の側壁４３の外側には、バンパー部としての外周縁部４５が形成されている。なお、蓋部４０の側壁４３の高さは、蓋部４０が閉じられたときに側壁４３の先端が略丁度ケース本体２０の外周縁部２５に当接する高さとなっている。
【００１８】
ここで、図４にケース本体の角部の拡大斜視図を示した。図４（ａ）はケース本体２０を下側とした図で、（ｂ）は蓋部４０を下側とした図である。
図４（ａ），（ｂ）（及び図１〜図３も参照）に示すように、ケース本体２０における底板２１の角部２１ａ付近の外周縁部２５、及び蓋部４０の天板４１の角部４１ａ付近の外周縁部４５では、薄肉部３５，４７の肉厚を他の薄肉部３５，４７の部分の肉厚よりも厚くした厚肉部３９，５１が設けられている。なお、角部以外の薄肉部３５，４７については、前述した構造となっており、その肉厚は、更に増加したときに向上する衝撃吸収性の観点だけでなく、成形性を観点も含めて、例えば０．８ｍｍとされることが合理的である。
【００１９】
以下、薄肉部３５，４７の最適な肉厚、厚肉部３９，５１の最適な肉厚について、テープカセット収納ケース１００を落下させた場合のテープカセットに作用する加速度を比較した結果を用いて説明する。
【００２０】
図５(ａ)及び(ｂ)に、テープカセット収納ケース１００の落下の向きを示した。以下の説明においては、図５(ａ)に示すように、ケース本体２０の正面側の角部２１ａ，４１ａから落下する場合を「角落下」と称し、図５(ｂ)に示すように、前側の側壁２３ａ，４３ａから落下する場合を「面落下」と称することとする。
【００２１】
図６に、角落下の場合について、厚肉部３９，５１(図４参照)の肉厚を変化させた場合に、テープカセット収納ケース１００に収納されているテープカセットに作用する衝撃力を表す加速度の変化の一例を示しした。なお、図中、縦軸は衝撃の加速度（Ｇ）を表し、横軸は角部２１ａ，４１ａのバンパー厚さｔ（ｍｍ）、即ち、角部における厚肉部３９，５１の厚さを表している。なお、ここで用いたテープカセットは、重量が５００ｇのものである。
図６に示すように、角部の厚肉部３９，５１の肉厚を、薄肉部３５，４７と同じ０．８ｍｍから厚くしていくと、加速度が約８２０(Ｇ)から減少して、肉厚が２．０ｍｍのときに最小値約４３０(Ｇ)となり、それ以上肉厚を増すと加速度は再び増加していく。
【００２２】
即ち、厚肉部３９，５１の肉厚が２．０ｍｍよりも小さい場合には、肉厚が薄いほど厚肉部３９，５１が押し潰されて塑性変形するため、衝撃エネルギーの吸収率が低下して衝撃の加速度が大きくなる。一方、厚肉部３９，５１の肉厚が２．０ｍｍを超えると、肉厚の増加に伴って厚肉部３９，５１の剛性が大きくなり、剛性の増加により衝撃エネルギーの吸収率が低下して衝撃の加速度が大きくなる。
【００２３】
この結果、角落下に対しては、厚肉部３９，５１の肉厚が約２．０ｍｍのときに、収納されているテープカセットに作用する加速度が最小となり、最も衝撃が小さくなることがわかった。即ち、厚肉部３９，５１の肉厚が約２．０ｍｍのときにバンパー部２７，４９による衝撃エネルギーの吸収が最も大きくなることから、このテープカセットの場合には、厚肉部３９，５１の肉厚を２．０ｍｍと決定するのが最適である。
【００２４】
また、図６では同時に、縦軸にバンパー厚さが０．８ｍｍのときの最大応力を基準としたときの最大応力の比率をとって、厚肉部３９，５１の肉厚と最大応力との関係を破線で示している。厚肉部３９，５１の肉厚が、他の薄肉部３５，４７の肉厚と同じ０．８ｍｍのときの応力を１とすると、肉厚の増加と共に最大応力の比が低下して、肉厚が２．０ｍｍの場合には、作用する最大応力が８割弱まで減少していることがわかる。最大応力の比率のみみれば、厚肉部３９，５１の肉厚をさらに大きくしたほうが有利となるが、衝撃の加速度との関係から、厚肉部３９，５１の肉厚を２．０ｍｍに設定するのが適切であるといえる。
【００２５】
次に、図７には、角落下及び面落下の場合について、テープカセット収納ケース１００に収納されているテープカセットに作用する衝撃の加速度とバンパー部の厚さとの関係の一例が示してある。なお、図中、縦軸は衝撃の加速度（Ｇ）、横軸はバンパー部の厚さ（ｍｍ）を示している。
【００２６】
図７中、実線で角落下の場合を示し、破線で面落下の場合を示してある。ここで、角落下の場合のバンパー部の厚みとは、図６に示す結果と同一である。また、面落下の場合のバンパー部の厚み２．０ｍｍとは、外周縁部２５，４５の肉厚を、角部の厚肉部３９，５１の肉厚、即ち２．０ｍｍで一定とした場合を意味している。
【００２７】
図７に示すように、角落下の場合については、図６で示したと同様に厚肉部３９，５１の肉厚を２．０ｍｍとすることにより、収納されているテープカセットに作用する衝撃の加速度を最も小さくすることができる。一方、面落下の場合については、外周縁部２５，４５の肉厚を一律に２．０ｍｍとしたときには、剛性が高まり、衝撃の加速度が高くなるので、角部以外の外周縁部２５，４５における薄肉部３５，４７の肉厚を０．８ｍｍとする。これにより、面落下時における剛性が過剰に高まることがなくなり、程良い衝撃吸収性が得られ、その結果、収納されているテープカセットに作用する衝撃加速度を小さくすることができる。上記の場合、角部のみ２．０ｍｍ厚にしたときは、面落下加速度（１０００Ｇ）は、一律２．０ｍｍ厚にしたときの面落下加速度（約１４００Ｇ）に対して３０％程度低減可能である。
以上の結果から、外周縁部２５，４５の角部における厚肉部３９，５１の肉厚を２．０ｍｍとし、その他の領域の外周縁部２５，４５の薄肉部３５，４７の肉厚を０．８ｍｍとしたときに、収納されているテープカセットに作用する衝撃を最も小さくすることができることがわかった。
【００２８】
以上、前述したテープカセット収納ケース１００によれば、角部のパンパー部としての厚肉部３９，５１の肉厚を、その他のパンパー部の肉厚よりも厚くしたので、収納ケース１００が角部から落下した場合に、角部に衝撃エネルギーが集中して収納ケース１００が破損したり押し潰されたりすることを防止できる。これにより、面落下の場合の薄肉部３５，４７の作用、及び角落下の場合の厚肉部３９，５１の作用により、いずれの方向で落下した場合でも、収納されているテープカセットに作用する衝撃を確実にかつ効率よく吸収することができ、テープカセットを保護することができる。
【００２９】
なお、本発明のテープカセット収納ケース１００は、前述した実施形態に限定されるものでなく、適宜な変形，改良等が可能である。
例えば、前述した実施形態において、バンパー部における薄肉部３５，４７に肉厚を０．８ｍｍ、厚肉部３９，５１に肉厚を２．０ｍｍに決定する場合について説明したが、これは薄肉部３５，４７の肉厚及び厚肉部３９，５１の肉厚を決定する際の考え方を示したものであり、肉厚の数値は前述したものに限定するものではない。これらの寸法等は、テープカセット収納ケース１００を構成する材質や形状及び収納されるテープカセットの重量や材質等によって適宜変化するものである。
【図面の簡単な説明】
【００３０】
【図１】本発明に係るテープカセット収納ケースの一実施形態を示す開蓋時における外観斜視図である。
【図２】(ａ)は図１中のケース本体におけるＡ方向矢視図、(ｂ)は(ａ)におけるＣ−Ｃ断面図である。
【図３】（ａ）は図１中のケース本体におけるＢ方向矢視図、（ｂ）は（ａ）におけるＤ−Ｄ断面図である。
【図４】ケース本体の角部の拡大斜視図で、（ａ）はケース本体を下側とした図で、（ｂ）は蓋部を下側とした図である。
【図５】(ａ)及び(ｂ)は、テープカセット収納ケースの落下の向きを示す説明図である。
【図６】角落下の場合について厚肉部の肉厚とテープカセットに作用する加速度の関係及び厚肉部の肉厚と最大応力との関係を示すグラフである。
【図７】角落下及び面落下の場合について収納されているテープカセットに作用する衝撃の加速度とバンパー部の肉厚との関係を示すグラフである。
【図８】従来のテープカセット収納ケースを示す斜視図である。
【符号の説明】
【００３１】
２０  ケース本体
２１  底板
２３  側壁
２５，４５  外周縁部（バンパー部）
３９，５１  厚肉部
４０  蓋部
６１  ヒンジ
６３  連結板（接合部）
１００  テープカセット収納ケース
【図１】
2005255199.tif 000003
【図２】
2005255199.tif 000004
【図３】
2005255199.tif 000005
【図４】
2005255199.tif 000006
【図５】
2005255199.tif 000007
【図６】
2005255199.tif 000008
【図７】
2005255199.tif 000009
【図８】
2005255199.tif 000010